(57)【要約】      （修正有）【課題】連結部が破断する等の損傷があった場合にも、座部が脱落することがなく、子供の落下を防止できる子供用椅子を提供する。【解決手段】本体４と、本体４に設けられた背もたれ部５と、背もたれ部５側に連結部９を介して連結され且つ背もたれ部５から前方に突出する使用姿勢と背もたれ部５に沿って起立する折り畳み姿勢との間で姿勢変更可能な座部６とを備え、座部６の連結部９から本体４側に離れた第１当接部１７を備え、座部６を使用姿勢にしたときに第１当接部１７が当接して座部６を支持する第１支持部２１を本体４に備え、座部６の前後方向の連結部９の近傍又は連結部９よりも前側に第２当接部を備え、座部６が使用姿勢のときに第２当接部が当接可能であり且つその当接時に座部６を支持する第２支持部を本体４に備える。【選択図】図４
0003178256.tif 000002
【実用新案登録請求の範囲】
【請求項１】
本体（４）と、該本体（４）に設けられた背もたれ部（５）と、該背もたれ部（５）側に連結部（９）を介して連結され且つ該背もたれ部（５）から前方に突出する使用姿勢と該背もたれ部（５）に沿って起立する折り畳み姿勢との間で姿勢変更可能な座部（６）とを備え、前記座部（６）の前記連結部（９）から前記本体（４）側に離れた第１当接部（１７）を備え、前記座部（６）を前記使用姿勢にしたときに前記第１当接部（１７）が当接して前記座部（６）を支持する第１支持部（２１）を前記本体（４）に備えた子供用椅子において、前記座部（６）の前後方向の前記連結部（９）の近傍又は前記連結部（９）よりも前側に第２当接部（１８）を備え、前記座部（６）が前記使用姿勢のときに前記第２当接部（１８）が当接可能であり且つその当接時に前記座部（６）を支持する第２支持部（２２）を前記本体（４）に備えたことを特徴とする子供用椅子。
【請求項２】
前記座部（６）に当接板（１４）を備え、前記第１支持部（２１）に下側から当接する前記第１当接部（１７）と、前記第２支持部（２２）に上側から当接する前記第２当接部（１８）とを前記当接板（１４）に設けたことを特徴とする請求項１に記載の子供用椅子。
【請求項３】
前記連結部（９）よりも後方に突出する前記当接板（１４）の左右中央側の後端縁に前記第１当接部（１７）を、前記当接板（１４）の左右両側に前記第２当接部（１８）を夫々設けたことを特徴とする請求項２に記載の子供用椅子。
【請求項４】
前記第２当接部（１８）は前記座部（６）を前記使用姿勢にしたときに前記第２支持部（２２）に当接し、又は前記第２当接部（１８）に当接可能に小間隙（Ｓ）を置いて近接することを特徴とする請求項２又は３に記載の子供用椅子。
【請求項５】
前記第１支持部（２１）及び前記第１当接部（１７）と、前記第２支持部（２２）及び前記第２当接部（１８）との少なくとも一方に、前記座部（６）を前記使用姿勢にしたときに係脱自在に係合する係合手段（２９）を設けたことを特徴とする請求項２〜４の何れかに記載の子供用椅子。
【請求項６】
前記第１支持部（２１）及び前記第１当接部（１７）に前記係合手段（２９）を備え、該係合手段（２９）は前記第１支持部（２１）と前記第１当接部（１７）との一方に設けられた係合凹部（３０）と、他方に設けられた係合突部（３１）とを有することを特徴とする請求項５に記載の子供用椅子。
【請求項７】
前記本体（４）は前記連結部（９）よりも前側に突出する左右一対の突出部（２４）と、該各突出部（２４）の内側に段差（２４ａ）を介して該各突出部（２４）よりも低く設けられた左右一対の前記第２当接部（１８）とを有することを特徴とする請求項２〜６の何れかに記載の子供用椅子。
【請求項８】
前記連結部（９）は合成樹脂材料により前記背もたれ部（５）及び前記座部（６）と一体に成型したことを特徴とする請求項１〜７の何れかに記載の子供用椅子。
【請求項９】
前記座部（６）の前側に屈曲自在に連結されたストッパー部（８）と、後端側が前記背もたれ部（５）の左右両側に枢支され且つ前端側が前記ストッパー部（８）に枢支された安全サークル（７）とを備え、前記ストッパー部（８）及び前記安全サークル（７）は前記座部（６）と共に前記使用姿勢と折り畳み姿勢とに姿勢変更可能であることを特徴とする請求項１〜８の何れかに記載の子供用椅子。
【考案の詳細な説明】
【技術分野】
【０００１】
本考案は、公共施設、駅、デパートの洗面所等の壁面側に設置して使用する折り畳み式の子供用椅子に関するものである。
【背景技術】
【０００２】
公共施設、駅、デパートの洗面所等の壁面側に折り畳み式の子供用椅子を設置しておき、子供を連れた人が洗面所等で身繕い等をする際に、その子供用椅子に子供を一時的に座らせておくようにしたものがある（特許文献１）。
【０００３】
この子供用椅子は、壁面側に固定される本体と、この本体の上部に固定された背もたれ部と、背もたれ部の下側に連結部を介して屈曲自在に連結された座部と、座部の前側に屈曲自在に連結されたストッパー部と、後端側が背もたれ部の左右両側に枢支され且つ前端側がストッパー部に枢支された安全サークルとを備え、座部及び安全サークルは前方に突出する使用姿勢と、背もたれ部に沿って起立する折り畳み姿勢との間で姿勢変更自在に構成されている。
【０００４】
背もたれ部、座部及びストッパー部は、合成樹脂材料による中空成型等により連結部を介して一体に成型されている。そして、座部の後部側裏面には連結部よりも後方に突出する当接板が装着されており、座部を使用姿勢にしたときに、この当接板の後端部が背もたれ部の下端側後方で本体に設けられた支持部に下側から当接して、連結部と共に座部側の荷重を支えるようになっている。
【先行技術文献】
【特許文献】
【０００５】
【特許文献１】特開２００３−１５９１６２号公報
【考案の概要】
【考案が解決しようとする課題】
【０００６】
この種の子供用椅子では、連結部の屈曲変形により座部が使用姿勢と折り畳み姿勢とに姿勢変更するため、長期間使用すれば連結部に屈曲疲労が生じ易い上に、その座部側の荷重の一部を支える構造であるため、座部に子供が座ったときの荷重、衝撃等によって連結部が破断して子供が落下する惧れがある。
【０００７】
また連結部を背もたれ部及び座部と一体に成型した場合には、材料の経年変化による連結部の劣化等で座部側の荷重に耐え難くなり、連結部が損傷して座部が脱落する等、同様の問題が発生する惧れがある。
【０００８】
本考案は、このような従来の問題点に鑑み、連結部が背もたれ部及び座部と一体であるか否かに拘わらず、連結部が破断する等の損傷があった場合にも、座部が脱落することがなく、子供の落下を防止できる子供用椅子を提供することを目的とする。
【課題を解決するための手段】
【０００９】
本考案は、本体４と、該本体４に設けられた背もたれ部５と、該背もたれ部５側に連結部９を介して連結され且つ該背もたれ部５から前方に突出する使用姿勢と該背もたれ部５に沿って起立する折り畳み姿勢との間で姿勢変更可能な座部６とを備え、前記座部６の前記連結部９から前記本体４側に離れた第１当接部１７を備え、前記座部６を前記使用姿勢にしたときに前記第１当接部１７が当接して前記座部６を支持する第１支持部２１を前記本体４に備えた子供用椅子において、前記座部６の前後方向の前記連結部９の近傍又は前記連結部９よりも前側に第２当接部１８を備え、前記座部６が前記使用姿勢のときに前記第２当接部１８が当接可能であり且つその当接時に前記座部６を支持する第２支持部２２を前記本体４に備えたものである。
【００１０】
前記座部６に当接板１４を備え、前記第１支持部２１に下側から当接する前記第１当接部１７と、前記第２支持部２２に上側から当接する前記第２当接部１８とを前記当接板１４に設けてもよい。前記連結部９よりも後方に突出する前記当接板１４の左右中央側の後端縁に前記第１当接部１７を、前記当接板１４の左右両側に前記第２当接部１８を夫々設けてもよい。
【００１１】
前記第２当接部１８は前記座部６を前記使用姿勢にしたときに前記第２支持部２２に当接し、又は前記第２当接部１８に当接可能に小間隙Ｓを置いて近接してもよい。前記第１支持部２１及び前記第１当接部１７と、前記第２支持部２２及び前記第２当接部１８との少なくとも一方に、前記座部６を前記使用姿勢にしたときに係脱自在に係合する係合手段２９を設けてもよい。
【００１２】
前記第１支持部２１及び前記第１当接部１７に前記係合手段２９を備え、該係合手段２９は前記第１支持部２１と前記第１当接部１７との一方に設けられた係合凹部３０と、他方に設けられた係合突部３１とを有するものでもよい。前記本体４は前記連結部９よりも前側に突出する左右一対の突出部２４と、該各突出部２４の内側に段差２４ａを介して該各突出部２４よりも低く設けられた左右一対の前記第２当接部１８とを有することもある。前記連結部９は合成樹脂材料により前記背もたれ部５及び前記座部６と一体に成型してもよい。
【００１３】
前記座部６の前側に屈曲自在に連結されたストッパー部８と、後端側が前記背もたれ部５の左右両側に枢支され且つ前端側が前記ストッパー部８に枢支された安全サークル７とを備え、前記ストッパー部８及び前記安全サークル７は前記座部６と共に前記使用姿勢と折り畳み姿勢とに姿勢変更可能であってもよい。
【考案の効果】
【００１４】
本考案では、連結部９が背もたれ部５及び座部６と一体であるか否かに拘わらず、連結部９が破断する等の損傷があった場合にも、座部６が脱落することがなく、子供の落下を防止できる利点がある。
【図面の簡単な説明】
【００１５】
【図１】本考案の第１の実施例を示す子供用椅子の側面図である。
【図２】同正面図である。
【図３】同平面図である。
【図４】同断面図である。
【図５】同一部破断側面図である。
【図６】同一部破断正面図である。
【図７】同折り畳み姿勢の正面図である。
【図８】本考案の第２の実施例を示す一部破断側面図である。
【図９】本考案の第３の実施例を示す一部破断側面図である。
【図１０】本考案の第４の実施例を示す一部破断側面図である。
【図１１】本考案の第５の実施例を示す一部破断側面図である。
【考案を実施するための形態】
【００１６】
以下、本考案の各実施形態を図面に基づいて詳述する。図１〜図７は本考案の第１の実施形態を例示し、図１〜図３において、１は建造物の壁面、２は床面である。３は子供用椅子であり、左右の壁面１に沿って設置されている。なお、子供用椅子３は建造物の入り隅にその壁面１に沿って設置してもよい。
【００１７】
子供用椅子３は、図１〜図３に示すように、壁面１に固定された本体４と、この本体４の上部の前面に着脱自在に固定された背もたれ部５と、背もたれ部５の下側に屈曲自在に連結された座部６と、後端側が背もたれ部５の左右両側に枢支され且つ座部６上に座った子供の上半身を取り囲む安全サークル７と、座部６上の子供の股間に配置され且つ上下両側が座部６及び安全サークル７の前部に連結されたストッパー部８とを備えている。
【００１８】
そして、この子供用椅子３は、通常は座部６、ストッパー部８及び安全サークル７が背もたれ部５に沿って起立する折り畳み姿勢（図１の二点鎖線の状態、図７）にあり、使用時には座部６を把持して座部６、安全サークル７等が前方に突出する使用姿勢（図１の実線の状態）に引き出した後、子供を上側から安全サークル７内に入れて座部６上に座わらせ、その子供の左右の両足をストッパー部８の両側から下方に垂らすようにする。
【００１９】
本体４、背もたれ部５、座部６、ストッパー部８及び安全サークル７は、ＡＢＳ樹脂、ＦＲＰ、ポリプロピレン等の合成樹脂製であり、本体４はブロー成型法、射出成型法により、安全サークル７は射出成型法により夫々成型されている。例えば背もたれ部５、座部６及びストッパー部８はブロー成型法等により中空状に成型されると共に、屈曲自在な第１連結部９、第２連結部１０を介して一体に成型されており、座部６及びストッパー部８がその各連結部９，１０の左右方向の軸心廻りの屈曲により使用姿勢と折り畳み姿勢とに姿勢変更自在である。第１連結部９、第２連結部１０は円弧状に構成されており、例えば第１連結部９ではその屈伸により円弧部分の略中心を回動中心Ｘ（図５参照）として座部６が背もたれ部５に対して回動するようになっている。なお、連結部９，１０は左右方向のヒンジ軸を有するヒンジにより構成してもよい。
【００２０】
座部６の座面は子供が座り易いように凹入状になっており、また座部６にはストッパー部８の左右両側に、子供が足を垂らし易いように凹入縁１２が設けられている。座部６の後部側裏面には後ろ上がりに傾斜する傾斜面１３が設けられ、この傾斜面１３に当接板１４が複数個のネジ１５により固定されている。
【００２１】
当接板１４は、図４〜図７に示すように、第１連結部９の下側近傍から背もたれ部５の下側を経て後方へと突出すると共に、その第１連結部９及び背もたれ部５に対応する前後方向の略中央部の屈曲部１６を境界に側面視へ字状に屈曲している。なお、座部６は第１連結部９側が左右方向に直線状であり、座部６及び当接板１４を含む全体の底面視形状が略円形状になっている。従って、座部６を折り畳み姿勢にした場合には、図７に示すように、座部６及び当接板１４の全体が正面視略円形状となる。
【００２２】
当接板１４には第１連結部９から後方に離れた後端側が第１当接部１７となっており、また屈曲部１６よりも前側の左右両側に左右一対の第２当接部１８が夫々設けられている。第２当接部１８は第１連結部９よりも前側で当接板１４の左右両側部から外側へと突出状に設けられており、当接板１４の前縁側は左右の第２当接部１８の先端部間に跨がる円弧状に形成され、また後縁側は左右の第２当接部１８の基部間に跨がる略半円状に形成されている。
【００２３】
本体４は縦長状であって、図４に示すように、その上部側に背もたれ部５用の取り付け部１９が、下部側に前側へと張り出すカバー部２０が夫々設けられている。また本体４には取り付け部１９とカバー部２０との間に、背もたれ部５の下端後方から座部６の周辺に第１支持部２１、第２支持部２２、凹部２３、左右突出部２４、前突出部２５等が設けられている。本体４の裏側には取り付け部１９とカバー部２０とに跨がって上下方向の補強部材２６が設けられている。取り付け部１９の前面には適宜固定手段２７を介して背もたれ部５が着脱自在に固定されている。
【００２４】
カバー部２０は前側に平面視円弧状、その他の適宜形状に張り出して設けられており、このカバー部２０の上端には、図４〜図７に示すように、背もたれ部５の下側付近に左右一対の左右突出部２４と、この左右突出部２４間に配置された凹部２３と、凹部２３の下側に沿って左右突出部２４間に配置された前突出部２５とが設けられている。左右突出部２４は背もたれ部５の下部で座部６の後部側の第１連結部９、当接板１４等を左右両側から覆うもので、前端が第１連結部９よりも前側に突出している。
【００２５】
凹部２３は座部６が第１連結部９廻りに使用姿勢と折り畳み姿勢とに回動するときに当接板１４と干渉しないように、当接板１４の後端縁の湾曲形状に沿って略円弧状に凹入して形成されている。前突出部２５の前面は、座部６を折り畳み状態にしたときに当接板１４の第１当接部１７の前面と略一致する位置にある。
【００２６】
本体４には凹部２３の後上端側に第１支持部２１が、左右突出部２４の前端部の内側で凹部２３の左右両側に第２支持部２２が夫々設けられている。第１支持部２１は座部６を使用姿勢にしたときに当接板１４の第１当接部１７が下側から当接し、第２支持部２２は座部６を使用姿勢にしたときに当接板１４の第２当接部１８が上側から当接しており、この前後、左右の３箇所の当接部分によって、使用姿勢の座部６側の荷重を支えるようになっている。第２支持部２２は左右突出部２４の内側に段差２４ａを介して設けられており、左右突出部２４の上面よりも若干低くなっている。
【００２７】
第１当接部１７と第１支持部２１の間には、座部６が第１連結部９廻りに回動して使用姿勢にしたときに係脱自在に係合する係合手段２９が左右略中央に設けられている。係合手段２９は第１連結部９が破断したときにも、使用姿勢にある座部６が脱落しないように係止するためのもので、第１支持部２１側に設けられた係合凹部３０と、第１当接部１７側に設けられ且つ係合凹部３０に係脱自在に係合する係合突部３１とを備えている。係合凹部３０は第１支持部２１に形成された孔、凹部等により構成され、第１支持部２１の支持面よりも凹入状になっている。
【００２８】
安全サークル７の左右両端部は背もたれ部５に枢支手段３２を介して連結部９，１０と略平行な左右方向の軸心廻りに回動自在に枢支されており、その枢支手段３２には安全サークル７を使用姿勢と折り畳み姿勢とに保持する保持機構（図示省略）が設けられている。
【００２９】
この子供用椅子３では、図１の二点鎖線及び図７に示すように、通常は座部６、ストッパー部８及び安全サークル７が背もたれ部５に沿って折り畳まれた状態にある。このとき座部６の当接板１４の第１当接部１７側は、図５に示すように左右突出部２４間で前突出部２５の前面と略一致する位置にあり、凹部２３を前側から覆っている。
【００３０】
使用に際しては座部６の前側に手を掛けて手前側に引っ張ると、各連結部９，１０、枢支手段３２を支点として座部６、ストッパー部８、安全サークル７が前側に回動して使用姿勢に姿勢変更できる。このようにして座部６を使用姿勢にしたときには、係合手段２９の係合突部３１が係合凹部３０に係合した状態で当接板１４の第１当接部１７が本体４の第１支持部２１に下側から当接し、また左右両側の第２当接部１８が本体４側の第２支持部２２に上側から当接している。
【００３１】
従って、座部６を使用姿勢にすれば、第１連結部９の前後両側の三点で本体４の各支持部２１，２２と座部６側の各当接部１７，１８とが逆方向から当接することにより、本体４の各支持部２１，２２と座部６の各当接部１７，１８との当接によって座部６側の荷重を支持できる等、座部６に子供が座ったときに第１連結部９に掛かる荷重を著しく軽減することができる。その結果、第１連結部９の損傷を極力防止できると共に、使用中での第１連結部９の破断等の損傷による子供の落下等を未然に防止でき、安全性が向上する利点がある。
【００３２】
仮に第１連結部９が劣化等によって破断するようなことがあっても、座部６の本体４、背もたれ部５からの脱落を防止できる。特に第１支持部２１と第１当接部１７との間には係合凹部３０、係合突部３１を有する係合手段２９があって、その係合手段２９が係合状態にあるので、第１連結部９が破断したような場合でも、子供の動き等によって座部６が前後に移動するようなことはない。
【００３３】
更に本体４の左右突出部２４の内側に段差２４ａをおいて低い位置に第２支持部２２が設けられており、この第２支持部２２に第２当接部１８が上側から当接しているため、第１支持部２１、第１当接部１７側の係合手段２９を構成する係合突部３１、係合凹部３０が左右略中央の１個であるにも拘わらず、第１連結部９が破断したときに座部６の前側が係合突部３１廻りに左右方向に移動するようなこともなく、座部６の位置を安定的に維持することができる。このため第１連結部９が破断した場合にも、座部６上の子供は安心して着座を続けることができる。また１個の係合手段２９の係合突部３１と係合凹部３０との間に遊びを持たせる等して、その係脱を容易にすることも可能である。
【００３４】
図８は本考案の第２の実施形態を例示する。この実施形態では、座部６を使用姿勢にしたときに、第１当接部１７が第１支持部２１に当接するが、左右の第２支持部２２と第２当接部１８は当接可能な状態で小間隙Ｓをおいて近接しており、第１連結部９が劣化又は破断したときに第２支持部２２が第２当接部１８に当接して、第１の実施形態と同様に前後、左右の三点で座部６側の荷重を支えるようになっている。他の構成は第１の実施形態と同様である。
【００３５】
このような場合には、座部６上に子供が座ったときの荷重は第１連結部９と、第１当接部１７及び第１支持部２１の当接部分とで支持する。しかし、使用中に第１連結部９の劣化、破断等があれば、第２当接部１８が第２支持部２２に当接するため、第１の実施形態と同様に子供の落下等を未然に防止できる。従って、座部６を使用姿勢に倒したときに第２当接部１８が第２支持部２２に当接可能な状態にあればよい。
【００３６】
図９は本考案の第３の実施形態を例示する。この実施形態では、本体４の第２支持部２２、座部６の第２当接部１８は、座部６の第１連結部９の回動中心Ｘよりも前に離れて配置されている。第２支持部２２は前下方に傾斜する傾斜支持面２２ａと、その下側の前支持面２２ｂとを有し、第２当接部１８には傾斜支持面２２ａに当接する傾斜当接面１８ａと、前支持面２２ｂに当接する後当接面１８ｂとを有する。後当接面１８ｂは当接板１４の一部をプレス等で突出成型することによって設けられている。他の構成は第１又は第２の実施形態と同様である。
【００３７】
このように座部６の左右の第２当接部１８が本体４の左右突出部２４に対して前斜め上方側及び前側から当接するようにしてもよい。また第２支持部２２、第２当接部１８を第１連結部９から前側に離して設けることにより、前後の当接部分間の間隔が大になり座部６の安定性が向上する。
【００３８】
図１０は本考案の第４の実施形態を例示する。この実施形態の係合手段２９は、第１支持部２１側に係合突部３１が、第１当接部１７側に孔状の係合凹部３０が設けられている。係合突部３１は本体４と一体に樹脂成型され、係合凹部３０は当接板１４に孔加工されている。他の構成は第１〜第３の何れかの実施形態と同様である。
【００３９】
このように第１支持部２１と第１当接部１７との当接部分に設けられる係合手段２９は、その何れに係合突部３１、係合凹部３０を第１の実施形態と反対に設けてもよい。なお、係合手段２９は第１支持部２１と第１当接部１７との当接部分に代替して、第２支持部２２と第２当接部１８との当接部分に設けてもよいし、その両方に設けてもよい。
【００４０】
図１１は本考案の第５の実施形態を例示する。この実施形態では、左右突出部２４の前上部間に左右方向に支持棒３４が支架されており、この支持棒３４と当接板１４との相対応する部分が第２支持部２２、第２当接部１８となっている。支持棒３４は座部６を折り畳み姿勢に回動させる途中では当接板１４と接触しないようにすることが望ましい。他の構成は第１〜第４の何れかの実施形態と同様である。
【００４１】
このように構成することも可能である。特にこの場合には、左右突出部２４に当接板１４を当接させる必要がないので、その左右突出部２４の前上側の損傷を防止できる。
【００４２】
以上、本考案の各実施形態について詳述したが、本考案は各実施形態に限定されるものではない。例えば各実施形態では、大人が立った状態で座部６に子供を座らせ得るようにした子供用椅子３を例示しているが、本体４の下側を短くして座部６の位置を低くした子供用椅子３においても同様に実施可能である。
【００４３】
また実施形態では、背もたれ部５を本体４の取り付け部１９に着脱自在に装着する場合を例示しているが、背もたれ部５は本体４に一体でもよい。その場合には本体４側の第１支持部２１、第２支持部２２は、本体４と一体の背もたれ部５に設けてもよい。座部６の位置が高い子供用椅子３の場合には、子供の安全上から安全サークル７、ストッパー部８は必要であるが、座部６の低い子供用椅子３の場合には、安全サークル７、ストッパー部８を省略してもよい。安全サークル７等に代えてシートベルトを設けてもよい。
【００４４】
座部６側の第１当接部１７、第２当接部１８は、座部６の裏面の当接板１４に一体に設けているが、別々の部材に設けてもよい。座部６側の第２当接部１８が本体４の第２支持部２２に当接する当接位置は第１連結部９の近傍又は第１連結部９よりも前側に配置することが望ましいが、座部６が第１連結部９の回動中心廻りに回動して使用姿勢と折り畳み姿勢との間で姿勢変更するときに、第２当接部１８が第２支持部２２上を摺動しないようにする必要がある。従って、使用姿勢にしたときに前後の当接部分で座部６側の荷重を受ける構成を採用する場合には、第１連結部９に近い位置にある第２支持部２２の延長面と、第１連結部９の回動中心を通り延長面に垂直な垂線との交点近傍から、折り畳み姿勢よりの位置に設けることが望ましい。第２支持部２２は座部６側の第２当接部１８を下側から支持できれば良く、例えば座部６の回動に支障を来さない位置であれば、左右方向の略中央に配置してもよい。
【００４５】
各実施形態では、第１連結部９、第２連結部１０は背もたれ部５、座部６等と一体に成型したものを例示しているが、各種のヒンジ構造を適宜選択して採用することも可能であり、一体型に限定されるものではない。第１当接部１７は第１支持部２１に前側から当接するようにしてもよい。
【符号の説明】
【００４６】
３  子供用椅子
４  本体
５  背もたれ部
６  座部
７  安全サークル
８  ストッパー部
９  第１連結部
１４  当接板
１７  第１当接部
１８  第２当接部
２１  第１支持部
２２  第２支持部
２４  左右突出部
２４ａ  段差
２９  係合手段
３０  係合凹部
３１  係合突部
Ｓ  小間隙
【図１】
0003178256.tif 000003
【図２】
0003178256.tif 000004
【図３】
0003178256.tif 000005
【図４】
0003178256.tif 000006
【図５】
0003178256.tif 000007
【図６】
0003178256.tif 000008
【図７】
0003178256.tif 000009
【図８】
0003178256.tif 000010
【図９】
0003178256.tif 000011
【図１０】
0003178256.tif 000012
【図１１】
0003178256.tif 000013